(57)【要約】【課題】主として、根張りによって繁殖域を拡大する植物の防根処理を容易かつ確実に行うことを課題とする。【解決手段】植物が地中に伸ばす根の深さより深く地中に達する幅Ｂとされた板体２の縦辺４、５に水平方向へ一連に連結できる連結部６が形成され、複数の板体２を連結部６により水平方向へ連結し、地中に立設して埋設するようにしてなる。【選択図】  図１
2005021101.tif 000002
【特許請求の範囲】
【請求項１】
植物が地中に伸ばす根の深さより深く地中に達する幅とされた板体の縦辺に、該板体を水平方向へ一連に連結できる連結部が形成され、複数の前記板体を前記連結部により水平方向へ連結し、地中に立設して埋設するようにした防根パネル。
【請求項２】
請求項１の防根パネルにおいて、板体の縦辺に形成された連結部が、一方の縦辺と他方の縦辺とで互いに軸方向位置をずらせた複数の円筒部と、該それぞれの円筒部を軸方向に互いに隙間無く組み合わせてできる一連の円筒部に貫通することのできる軸とから構成された防根パネル。
【請求項３】
請求項１の防根パネルにおいて、連結部が一方の縦辺に沿って形成された棒状部と、他方の縦辺に形成された断面がＣ字状をなす筒状の受容部とから構成された防根パネル。
【請求項４】
請求項１、２又は３の防根パネルにおいて、地中側の底辺に沿って鋭角に切れ込むＶ字状ノッチを形成してなる防根パネル。
【請求項５】
請求項１、２、３又は４の防根パネルにおいて、連結部における隙間が充填材により隙間無く充填されてなる防根パネル。
【請求項６】
請求項１、２、３、４または５の防根パネルにおいて、連結部に打ち込み用杭が貫通され、地中に打ち込むまでは、打ち込み代部分の長さだけ連結部から頭出されている防根パネル。
【発明の詳細な説明】
【０００１】
【発明の属する技術分野】
この発明は、防根パネルに関し、範囲を決めて植物を植生する際に有用な防根パネルに関する。
【０００２】
【従来の技術】
公園の緑地化、庭園のガーデニングを行う場合、選定した植物の植栽面積をどのような広さにし、植栽場所をどのように組み合わせるかは、その庭園の将来の景観を決定する重要な要素となる。
【０００３】
この場合、植栽される植物が、一年草の草花のような場合は問題は無いが、根張りの強い植物や繁殖力の強い外来種の樹木などの場合、他の植物と混植すると３〜５年あるいは１０年以上経年のうちに、強力に繁殖して植栽範囲が拡大し、この勢いに負けて周囲の他の植物が駆逐されてしまう問題がある。
【０００４】
例えば、地下茎で増殖する竹類の場合は、当初、分離植栽していても、他の樹木類の植栽範囲へと地下茎を伸ばして侵蝕し、地中の養分を竹類で独占する結果他の植物は枯衰し、やがては周囲がほとんど竹林になってしまったり、外来種植物の場合はその外来種の植物だけとなってしまい、他の繁殖力の劣る植物等は全滅もしくは勢いを失い庭園の景観や価値を大きく損なうといった問題があった。
【０００５】
このような問題は、植栽範囲を例えば防根シートなどで一定に定め、そのシートを超えて根が伸びないようにすれば解消できる。（特許文献１）
【０００６】
【特許文献１】
特開２００１−１７８２６９号公報
【０００７】
【発明が解決しようとする課題】
しかしながら上記防根シートは、例えばビルの屋上などに花壇を人工的に作る時に、床面と花壇の土とを区画するには有効であっても、露地植栽の防根用として使用するには適さない問題があった。例えば、従来の防根シートは布状で自立性が無く、植栽範囲の境界に沿って掘削した溝に設置するにしても、必ず支持柱などで支持する必要があり、しかも土工用の掘削工具を引掛けたり、埋戻土に含まれる小石などが衝突して防根シートに破口が出来やすく、破口が出来てしまうと、例え小さな破口でもそこから根が貫通して伸びていくので、完全な防根が出来なくなる問題があった。
【０００８】
また、シートを接続する部分も根が貫通しないように隙間無く接合する必要がありそのためには複雑な接合構造とするなど、敷設作業もかなり面倒な作業となるといった問題があった。
【０００９】
この発明は上記問題を解消し、主として、根張りによって繁殖域を拡大する植物の防根処理を容易かつ確実に行うことを課題としてなされたものである。
【００１０】
【課題を解決するための手段】
上記課題を達成するため、請求項１の発明は、植物が地中に伸ばす根の深さより深く地中に達する幅とされた板体の縦辺に、該板体を水平方向へ一連に連結できる連結部が形成され、複数の前記板体を前記連結部により水平方向へ連結し、地中に立設して埋設するようにしたものである。
【００１１】
この防根パネルによれば、例えば竹類のように根張りで繁殖範囲を拡大していく植物の場合でも、これら植物の根の深さより地中深く埋設された防根パネルにより根張り範囲が画定され、他の植物が侵蝕されるのが防止される。また、地中に立設する場合は、予め多数の板体を接合しておき、しかる後に溝を掘削しその溝の底へ立設配置すれば、接続された板体は何らの支持も要せず自立するので特別な支持手段の必要がなく、埋め戻し作業も容易となる。
【００１２】
また板状をなし強度に優れるので、土工用工具の接触や埋戻土に混ざる小石が衝突しても破口を生じるといった事故もない。
なお、上記板体は、防根の目的を達成するものであるから、根を貫通させない材質、例えば透水性を有しないプラスチック、あるいはステンレス板、防錆コーティングを施した薄金属板などが使用される。
【００１３】
請求項２の発明は、請求項１の防根パネルにおいて、板体の縦辺に形成された連結部が、一方の縦辺と他方の縦辺とで互いに軸方向位置をずらせた複数の円筒部と、該それぞれの円筒部を軸方向に互いに隙間無く組み合わせてできる一連の円筒部に貫通することのできる軸とから構成されたものである。
【００１４】
接続部の構造を蝶番状とし、接続屈曲角を大きくする事ができるようにしたものである。
請求項３の発明は、請求項１の防根パネルにおいて、連結部が一方の縦辺に沿って形成された棒状部と、他方の縦辺に形成された断面がＣ字状をなす筒状の受容部と、前記棒状部とから構成されたものである。
【００１５】
この防根パネルは、接続時の屈曲角が受容部のＣ字状開口部の開き度合いによって制限されるが、接続構造が簡単にされた分組み立て作業等が容易となる。
請求項４の発明は、請求項１、２又は３の防根パネルにおいて、地中側の底辺に沿って鋭角に切れ込むＶ字状ノッチを形成してなるものである。
【００１６】
防根パネルは、植物が地中に伸ばす根の深さより深く地中に達する幅とされているので、根がパネル下をくぐり抜けて越境することはまずないが、もし、くぐり抜けたとしても、そのときは必ず防根パネルの底辺に接触しながら越境していく。したがって、毛根が板体の下辺をくぐって行こうとしても、鋭角的に切り込まれたノッチに嵌り込む状態となり、狭い幅のノッチ溝より根が太く成長しないので、超えた部分の成長が防止される。
【００１７】
請求項５の発明は、請求項１、２、３又は４の防根パネルにおいて、連結部における隙間が充填材により隙間無く充填されてなるものである。
連結部に、わずかでも隙間があり、そこへ水分が浸透すると毛根がその隙間へと入り込んでいき、やがては太く成長して隙間が押し広げられて接続部の防根性能が無効とされる場合があるので、板体の接続部を水分も浸透させない程度の密な状態に充填材を充填することが望ましい。
【００１８】
充填材としては、合成樹脂製の接着剤が、また、金属性防根パネルの場合は、半田などの金属性接着剤も好適に使用される。
請求項６の発明は請求項１、２、３、４または５の防根パネルにおいて、連結部に打ち込み用杭が貫通され、地中に打ち込むまでは、打ち込み代部分の長さだけ連結部から頭出されているものである。
【００１９】
したがって、防根パネルを目的の境界線に沿って仮に配置した後、位置決定すれば、その部分の杭から打ち込んでいけば、簡単に防根パネルを固定することができる。
【００２０】
【実施の形態】
次にこの発明の実施の形態である防根パネルについて説明する。
実施の形態１
図１は、防根パネルの側面図、図２は図１の平面図、図３は接続状態を示す要部破断側面図、図４は図３のＢ−Ｂ線要部拡大断面図である。
【００２１】
防根パネル１は、植物の地中に伸ばす根よりも深く地中に達する幅Ｂとされた板体２であって、この板体２の底辺３に隣接する縦辺４、５のそれぞれに一連に連結できる連結部６、６が形成され、この連結部６、６で複数の板体２が任意長さに連結可能とされ、このように連結した状態で地中に立設して埋設するようにされている。
【００２２】
上記において板体２は連結部６と共に、硬質プラスチック、耐腐食性を有する金属、例えばステンレス板、アルミ合金、防錆処理を施した鋼板などにより形成される。また、板体２の上辺７は、図１の部分図に拡大断面で示すように危険防止の見地より折返し縁とすることが望ましい。
【００２３】
幅Ｂの具体的な寸法は３０〜１５０ｃｍ、竹類を対象とする場合は、竹類が根を張る地中深さが８０ｃｍ前後であるのでＢ＝１００ｃｍ程度とされる。長さＬは、対象とする植栽面積の広さにもよるが３０〜１５０ｃｍ程度とされる。
【００２４】
なお、図示例における板体２の厚さは説明のためやや厚めに誇張して示されており、実際は金属板で０．５ｍｍ前後、プラスチック板で１〜３ｍｍ前後とされる。
【００２５】
また、連結部６は、一方の縦辺４と他方の縦辺５とで互いに軸方向位置をずらせた複数の円筒部６ａ…６ａとされ、図３に示すように互いの円筒部６ａ…６ａを食い違い状態に嵌め合い、蝶番のような構造となるようにされ、軸方向に一連の中空部８が出来るようにされている。
【００２６】
そして、この円筒部６ａは、図１、図２に仮想線で示すように板体２の縦辺４、５に延出辺４ａ、５ａを形成し、これを筒状に丸め端部の折返片４ｂ、５ｂを板体２表面に溶接又はビス止めすることにより形成される。
【００２７】
そして、図３に示すように、互いに組み合わせた円筒部６ａ…６ａの中空部８に一本の連結ピン９を挿通することによって両者を連接するように構成されている。
【００２８】
なお、この連結ピン９は、板体２と同材質のパイプからなり、上端にフランジ状の頭部１０が設けられている。
また、連結ピン９外面には、図示例の場合、熱硬化性接着剤又は半田などの充填材層１１（図４に明示）が設けられている。そして、互いに組み合わせた円筒部６ａ…６ａの中空部８に連結ピン９を貫通配置した後加熱すれば、充填材層１１が流動して連結ピン９外面と円筒部６ａ…６ａ内面との間に隙間無く充填され、凝固することで両者が接着されるように構成されている。連結部６に隙間があるとそこへ毛根が侵入し、やがて突き抜けてしまい、防根の効果がなくなってしまうからである。
【００２９】
なお，上記充填材を溶融軟化するための加熱はトーチランプの炎などに拠るが、連結ピン９内部に棒状のシーズヒーター（図示せず）を挿入し通電することにより発熱させ、この熱により溶着するようにしても良い。
【００３０】
なお、上記充填材は、必要に応じて設けられ、隙間がない場合は、特に必要はない。
また、ピン９には、さらに打ち込み用杭１２を貫通配置しておき、打ち込み代部分の長さｐだけ連結部となるピン９から頭出支持しておくと、固定の際、作業が容易となる。
【００３１】
次に、この発明の防根パネル１の使用方法について説明する。
まず、植物の植栽範囲の境界線に沿って防根パネル１…１を接続し組立てる。即ち、図３に示すように各防根パネル１の円筒部６ａ…６ａを互いに食い違うようにかみ合わせ、上面から連結ピン９を差し込んで相互を連接する。
【００３２】
植栽範囲が描く図形は、通常、閉じた図形とされる。このような図形に沿って接続部で任意に曲折しつつ防根パネル１…１を接続して行く。この場合閉じた図形の最後の部分で板体の長さが合わないときは、図５に示すように、切断した板体同士を接着剤１１ａ層を介して重ね隙間が出来ないようにして、ビス１１ｂなどで止着して接続する。なお、板体２が湾曲できる材質の場合は、接続部６のほか板体２の湾曲を利用して、全体が滑らかな曲線となるように曲げながら接続していくこともできる。
【００３３】
次いで、境界線に沿って防根パネル１…１の上縁が地表乃至地表より２〜３ｃｍ埋まる程度の深さ、即ちＢ乃至Ｂ＋（２〜３ｃｍ）の深さに溝を掘削し、しかる後に防根パネル１…１を溝内に設置する。
【００３４】
この時点で、各連結部６…６の接続状態や板体２の湾曲状態を境界線に沿うように整形し、次いで充填材層１１がある場合は連結部６…６をトーチランプやシーズヒーターを用いて熱硬化性接着剤あるいは半田等の充填材層１１を加熱、流動化させ連結ピン９外周と円筒部６ａ内周との隙間に充填させ、ついで凝固させて両者を接着する。
【００３５】
連結部６を確実に接着した後、各連結ピン９の中空部内に杭１２を設けている場合は、これを打ち込み防根パネル１…１を固定し、ついで溝を埋め戻し、地表には必要に応じて図６に示すように境界線に沿って煉瓦、無機ブロック２０…などを配置し、装飾する。
【００３６】
したがって、図６に示したように樹木Ｔと竹類Ｆの植栽範囲を区画する境界線は地表から竹類Ｆの根Ｒが侵入出来ない深さまで防根パネル１…で隙間無く区画されるので、区画内に繁殖力の強い植物の根Ｒが侵入してくることがなく、経年によって混植状態となってしまうのが防止できる。
【００３７】
上記実施の形態１として、防根パネル１の接続部５を互いに軸方向に食い違い配置された円筒部６ａ…６ａとした場合を示したが、図７に示すように単に凹凸字状の円筒部６ａの組み合わせとしても良い。
【００３８】
また、図８に示すように、一方を縦辺４に沿った棒状体１３、他方をこの棒状体１３を受容できる断面Ｃ字状の受け部材１４を縦辺５に沿って設け、接合時は、棒状体１３を受け部材１４に受容することで接続していくようにしても良い。
【００３９】
なお、この場合は、棒状体１３外面又は受け部材１４内面のいずれか、あるいは両者に熱硬化性接着剤や半田などの層が設けられ、必要に応じ棒状体１３には、充填材１１を溶融するためのシーズヒーターを挿入するための中空部８が設けられる。
【００４０】
そして、使用に際し、境界に沿って接続し、溝を掘削後溝内に配置し、接着剤を加熱溶融させて両者を接着させ埋設する点は実施の形態１の防根パネルと同じである。
【００４１】
さらに図示は省略されているが、棒状体１３内に図１、図２で示したような杭１２を配置してもよい。
実施の形態２
図９は実施の形態２の防根パネルの側面図、図１０は図９のＣ−Ｃ線部分拡大断面図を示す。
【００４２】
この実施の形態２の防根パネル１は、実施の形態１の防根パネル１の底辺に鋭くＶ字状に切れ込むノッチ溝１５…を設けたものである。
なお、このノッチ溝１５の縁１６は、ナイフの刃状に鋭利にしておくことが好ましい。
【００４３】
毛根が防根パネル１をくぐっていく場合は、必ず下辺に沿って超えていくためこのＶ字状ノッチ溝１５の奥側から超えていこうとするが、この部分越えて太く成長してもその部分は刃の幅よりも太くならず、したがって越えた先の部分が太く成長しにくくなる。
【００４４】
なお、実施の形態２の防根パネル１は、ノッチ溝１５を設けた以外は実施の形態１と同じであるため、同一部分は同一符号を付すことで詳細な説明は省略する。
【００４５】
そして、この防根パネル１は、図３に示したものと同様に使用されるが、地中深さが植物の根が地中に伸ばす深さより深いので、通常はくぐり抜けていくことはないが、もしこの防根パネル１の底辺をくぐり抜けることがあったとしても、この場合は、根は必ず板体２の底辺３に接しつつ毛根を伸ばして行くので、これら毛根は必ずノッチ溝１５の奥端部分に触れることとなり、この結果、根はノッチ部分の幅より太く成長しにくく、越えた先の部分が太く成長するのが防止されるのである。
【００４６】
なお、下辺が尖った形状とされているので、地盤が柔らかい場合は打ち込みによる埋設も可能となる。そして、防根パネル１に図９に矢印Ｘで示すように定期的に打ち込む衝撃力を与えるとそのショックでノッチ溝１５の間に入りこんでいる根を切断することも可能である。
【００４７】
【発明の効果】
この発明は、以上説明したように、竹類のように地下茎で繁殖する植物や、根を張ることで植生範囲を広げていく植物などの植栽範囲を区画内に入らせないようにすることができるので、これらの生命力の強い植物に隣接して、繁殖力の劣る植物を植栽しても、両者の境界を確実に守ることができ、その結果長期間経過しても植栽範囲の混合が起こらず、美しい景観を維持することが可能となるのである。
【００４８】
また、地中に埋設する場合も、この発明の防根パネルは、一連に接続することで自立性が保てるので施工が容易であり、しかも工具や埋戻土との接触によって破口も生じることがないので、それだけ施工の面倒さもなく容易に敷設工事が出来るといった効果を有する。
【図面の簡単な説明】
【図１】実施の形態１である防根パネルの側面図である。
【図２】図１の平面図である。
【図３】防根パネルの接続状態を示す要部破断側面図である。
【図４】図３のＢ−Ｂ線要部拡大断面図である。
【図５】防根パネルの接続状態を示す説明図である。
【図６】防根パネルで区画した植栽例を示す要部破断斜視図である。
【図７】実施の形態１である防根パネルの他の連結部の構造を示す側面図である。
【図８】実施の形態１である防根パネルのさらに他の連結部の構造を示す斜視図である。
【図９】実施の形態２の防根パネルの側面図である。
【図１０】図９のＣ−Ｃ線部分拡大断面図を示す。
【符号の説明】
１      防根パネル
２      板体
３      底辺
４      縦辺
５      縦辺
６      連結部
７      上辺
８      中空部
９      連結ピン
１０      フランジ状の頭部
１１      充填材層
【図１】
2005021101.tif 000003
【図２】
2005021101.tif 000004
【図３】
2005021101.tif 000005
【図４】
2005021101.tif 000006
【図５】
2005021101.tif 000007
【図６】
2005021101.tif 000008
【図７】
2005021101.tif 000009
【図８】
2005021101.tif 000010
【図９】
2005021101.tif 000011
【図１０】
2005021101.tif 000012